(57)【要約】【課題】レジューム再生を開始するまでに掛かる時間を短くし、使い勝手を向上させた光ディスク装置を提供することである。【解決手段】ロータリートレイ２２０は、隣接した２つの載置部２２１ｃ、２２１ｄが光ディスクを交換できる位置まで排出され、排出された状態でロータリートレイ２２０が回転可能となっており、再生された光ディスクのレジューム情報を載置部２２１ａ〜２２１ｅごとに記憶し、ロータリートレイ２２０が排出され収納された後に光ディスクを再生する場合であって、再生する光ディスクが載置されている載置部に対応するレジューム情報が記憶されている場合に、ロータリートレイ２２０が排出された状態のときに光ディスクが交換できる位置にきていない載置部に載置された光ディスクを再生するときは、この光ディスクは交換されていないと判断してレジューム再生する構成とする。【選択図】図３
2008090953.tif 000002
【特許請求の範囲】
【請求項１】
光ディスクが載置される載置部を５つ有するロータリートレイを備え、該ロータリートレイは、隣接した２つの載置部が光ディスクを交換できる位置まで排出され、排出された状態で該ロータリートレイが回転可能となっており所望の光ディスクを交換可能な位置に移動させることができる光ディスク装置において、
再生された光ディスクのレジューム情報を前記載置部ごとに記憶し、
前記ロータリートレイが排出され収納された後に光ディスクを再生する場合であって、再生する光ディスクが載置されている載置部に対応するレジューム情報が記憶されている場合に、
前記ロータリートレイが排出された状態のときに光ディスクが交換できる位置にきていない載置部に載置された光ディスクを再生するとき、又は前記ロータリートレイが排出された状態のときに光ディスクが交換できる位置にきた載置部に載置された光ディスクを再生する場合であっても、光ディスクが交換できる位置にあった状態が所定時間よりも短い場合は、この光ディスクは交換されていないと判断してレジューム再生することを特徴とする光ディスク装置。
【請求項２】
光ディスクが載置される載置部を複数有するロータリートレイを備え、該ロータリートレイは、全載置部のうちのいくつかが光ディスクを交換できる位置まで排出され、排出された状態で該ロータリートレイが回転可能となっており所望の光ディスクを交換可能な位置に移動させることができる光ディスク装置において、
再生された光ディスクのレジューム情報を前記載置部ごとに記憶し、
前記ロータリートレイが排出され収納された後に光ディスクを再生する場合であって、再生する光ディスクが載置されている載置部に対応するレジューム情報が記憶されている場合に、
前記ロータリートレイが排出された状態のときに光ディスクが交換できる位置にきていない載置部に載置された光ディスクを再生するときは、この光ディスクは交換されていないと判断してレジューム再生することを特徴とする光ディスク装置。
【請求項３】
前記ロータリートレイが排出された状態のときに光ディスクが交換できる位置にきた載置部に載置された光ディスクを再生する場合であっても、光ディスクが交換できる位置にあった状態が所定時間よりも短い場合は、この光ディスクは交換されていないと判断してレジューム再生することを特徴とする請求項２記載の光ディスク装置。
【発明の詳細な説明】
【技術分野】
【０００１】
本発明は、光ディスクが載置される載置部を複数有するロータリートレイを備えた光ディスク装置に関する。
【背景技術】
【０００２】
光ディスク装置には、複数の光ディスクを収納して所定の光ディスクを再生するディスクチェンジャーを備えたものがある。この種の光ディスク装置において、収納されている複数の光ディスクのうち所定の光ディスクを再生し、その途中で他の光ディスクを再生した後に、上記所定の光ディスクを再生しようとした場合、上記所定の光ディスクの再生は、その最初の部分から開始される。
【０００３】
したがって、所定の光ディスクの再生を途中で停止し、他の光ディスクを再生し、その後に所定の光ディスクを前回再生を停止した部分以降を再生させたい場合には、前回再生した部分を早送りするか、最初の部分から前回再生を停止した部分までやむを得ず再生するかの何れかであり、早送りすると、その操作が煩雑であるという問題があり、一方、最初の部分から前回再生を停止した部分までやむを得ず再生すると、その間の時間が無駄であるという問題がある。
【０００４】
そこで、所定の光ディスクの再生を途中で停止し、他の光ディスクを再生し、その後に所定の光ディスクを前回再生を停止した部分から再生させるレジューム機能が提案されている（特許文献１参照）。
【特許文献１】特開平１０−２４１３４４号公報
【発明の開示】
【発明が解決しようとする課題】
【０００５】
しかしながら、特許文献１のディスクチェンジャーを備えた光ディスク装置においてレジューム再生する場合は、所定位置の光ディスクが交換された可能性を考慮して同じ光ディスクであるかを判別する動作が必要となり、レジューム再生は通常の再生よりも再生開始までに時間が掛かる。
【０００６】
本発明は、レジューム再生を開始するまでに掛かる時間を短くし、使い勝手を向上させた光ディスク装置を提供することを目的とする。
【課題を解決するための手段】
【０００７】
上記目的を達成するために本発明は、光ディスクが載置される載置部を複数有するロータリートレイを備え、該ロータリートレイは、全載置部のうちのいくつかが光ディスクを交換できる位置まで排出され、排出された状態で該ロータリートレイが回転可能となっており所望の光ディスクを交換可能な位置に移動させることができる光ディスク装置において、
再生された光ディスクのレジューム情報を前記載置部ごとに記憶し、
前記ロータリートレイが排出され収納された後に光ディスクを再生する場合であって、再生する光ディスクが載置されている載置部に対応するレジューム情報が記憶されている場合に、
前記ロータリートレイが排出された状態のときに光ディスクが交換できる位置にきていない載置部に載置された光ディスクを再生するときは、この光ディスクは交換されていないと判断してレジューム再生することを特徴とする。
【０００８】
上記の光ディスク装置において、前記ロータリートレイが排出された状態のときに光ディスクが交換できる位置にきた載置部に載置された光ディスクを再生する場合であっても、光ディスクが交換できる位置にあった状態が所定時間よりも短い場合は、この光ディスクは交換されていないと判断してレジューム再生することが望ましい。
【０００９】
本発明を具体化すると、光ディスクが載置される載置部を５つ有するロータリートレイを備え、該ロータリートレイは、隣接した２つの載置部が光ディスクを交換できる位置まで排出され、排出された状態で該ロータリートレイが回転可能となっており所望の光ディスクを交換可能な位置に移動させることができる光ディスク装置において、
再生された光ディスクのレジューム情報を前記載置部ごとに記憶し、
前記ロータリートレイが排出され収納された後に光ディスクを再生する場合であって、再生する光ディスクが載置されている載置部に対応するレジューム情報が記憶されている場合に、
前記ロータリートレイが排出された状態のときに光ディスクが交換できる位置にきていない載置部に載置された光ディスクを再生するとき、又は前記ロータリートレイが排出された状態のときに光ディスクが交換できる位置にきた載置部に載置された光ディスクを再生する場合であっても、光ディスクが交換できる位置にあった状態が所定時間よりも短い場合は、この光ディスクは交換されていないと判断してレジューム再生する構成となる。
【発明の効果】
【００１０】
本発明によれば、ロータリートレイの排出、収納動作の際に交換されていないと判別できる光ディスクを再生する場合は、再生する光ディスクの固有情報とレジューム情報が有する光ディスクの固有情報とが一致するか否か判定することなくレジューム再生できるので、レジューム再生を開始するまでに掛かる時間が短くなり、使い勝手が向上する。
【発明を実施するための最良の形態】
【００１１】
図１は、光ディスク装置の外観を示す斜視図である。矩形筐型のキャビネット１００にはディスクチェンジャー２００が収納される。このディスクチェンジャー２００は、矩形板状のスライドトレイ２１０を備え、このスライドトレイ２１０の上面には、円盤状のロータリートレイ２２０が回転可能に支持され、ロータリートレイ２２０の上面における所定位置には、チャックアーム２３０が取り付けられている。また、キャビネット１００の前面には光ディスクの取り出しや再生を指示する操作部１１０が設けられている。なお、操作部はリモコンに設けてもよい。
【００１２】
また、スライドトレイ２１０の下面には、図示しない光ピックアップなどを搭載したメカホルダー、ロータリートレイ２２０を回転駆動させる駆動ユニット、ロータリートレイ２２０の回転位置を検出する位置検出センサ、ロータリートレイ２２０の回転を規制するロック機構などが組み付けられている。さらに、キャビネット１００の内側底部には、シールド構造を介して制御基板が収納される。
【００１３】
図２は、ディスクチェンジャー２００の主要構成を示す分解斜視図である。スライドトレイ２１０は、前面へ排出可能に、キャビネット１００の内部にて前後方向へスライド可能に設置され、上面には、円形状の凹部２１１が設けられる。スライドトレイ２１０の中央には支軸２１２が鉛直上方へ立設されている。ロータリートレイ２２０は、その上面に周方向へ等間隔に光ディスクが載置される載置部２２１を５つ有している。なお、載置部２２１は２つ以上あればよい。またロータリートレイ２２０の中央には軸孔２２２が設けられ、軸孔２２２は支軸２１２へ挿入されて回転可能に支持される。
【００１４】
また、支軸２１２の上端には、チャックアーム２３０の一端が組み付けられ、チャックアーム２３０の他端側に設けられた第１チャッキング部２３１をスライドトレイ２１０に形成された貫通孔２１３に対向可能としている。一方、貫通孔２１３の下方には、第１チャッキング部２３１との間に光ディスクの回転軸を挟み込み可能な第２チャッキング部２４１や光ディスクから記録データの読み出しを行う光ピックアップなどを搭載したメカホルダー２４０が組み付けられている。
【００１５】
メカホルダー２４０は、第２チャッキング部２４１および光ピックアップを貫通孔２１３に対して昇降可能に組み付けられており、このメカホルダー２４０の昇降タイミングを制御するモーションギヤ２５０がメカホルダー２４０に隣接させつつ、スライドトレイ２１０の下面に取り付けられる。また、ロータリートレイ２２０の回転位置を検出する位置検出センサ２７０が、スライドトレイ２１０の下面に取り付けられる。
【００１６】
図３は、ロータリートレイ２２０を排出した状態の光ディスク装置の平面図である。操作部１１０のオープン／クローズボタンが押下されると、ロータリートレイ２２０がスライドトレイ２１０とともに排出される。このとき、ロータリートレイ２２０は隣接した２つの載置部（図３では載置部２２１ｃと２２１ｄ）が光ディスクを交換できる位置まで排出される。また、ロータリートレイ２２０が排出された状態において、操作部１１０の左移動ボタン又は右移動ボタンが１回押下される毎にロータリートレイ２２０は左又は右に５分の１回転するように制御されている。これにより、所望の光ディスクを交換可能な位置に移動させることができる。
【００１７】
次に、レジューム再生に関して説明する。レジューム再生は、所定の光ディスクの再生を途中で停止し、他の光ディスクを再生したり他の光ディスクに交換したりし、その後に所定の光ディスクを前回再生を停止した部分から再生させる機能である。本発明の光ディスク装置でレジューム再生を実現するためには、まず、再生された光ディスクのレジューム情報を取得するレジューム情報取得処理が必要であり、場合によっては光ディスクを交換するためロータリートレイ２２０を排出、収納する光ディスク交換処理をし、さらに、取得したレジューム情報を用いて再生する再生処理が必要である。
【００１８】
図４は、レジューム情報取得処理における光ディスク装置の動作を示すフローチャートである。光ディスクの再生中に、ステップＳ１０において再生停止指示があるか否かを判別する。再生停止指示は、操作部１１０の停止ボタンなどが押下された場合になされる。
【００１９】
ステップＳ１０において再生停止指示があった場合、ステップＳ１１へ進んでレジューム情報を取得する。レジューム情報としては、少なくとも再生停止位置情報が必要であり、そのほかＣＤの場合には、音量値、イコライザ値、サラウンドモード、ラウドネスモードなどを採用することができ、ＤＶＤの場合には、アングル情報や字幕情報を採用することができる。
【００２０】
次にステップＳ１１からステップＳ１２へ進んで、取得したレジューム情報をその光ディスクが載置されている載置部に対応させて記憶する。レジューム情報を記憶する記憶部（不図示）としては特に限定はなく、フラッシュメモリなど書き換え可能なものであればよい。
【００２１】
以上のレジューム情報取得処理により、載置部２２１ａ〜２２１ｅ毎にレジューム情報を取得し、記憶することができる。図４のレジューム情報取得処理が終了した後、ユーザが光ディスクを交換する場合には以下の光ディスク交換処理が実行される。
【００２２】
図５は、光ディスク交換処理における光ディスク装置の動作を示すフローチャートである。まず、ステップＳ２０において操作部１１０のオープン／クローズボタンが押下されたか否かを判別する。ステップＳ２０においてオープン／クローズボタンが押下された場合、ステップＳ２１へ進んでロータリートレイ２２０を排出する。ロータリートレイ２２０が排出された状態のときにユーザは光ディスクを交換することができる。
【００２３】
そしてステップＳ２１からステップＳ２２へ進んで、ロータリートレイ２２０が排出された状態のときに光ディスクが交換できる位置にある載置部（図３では載置部２２１ｃと２２１ｄ）を検出し、記憶する。ここで記憶された載置部の光ディスクは交換された可能性があるといえる。なお、ステップＳ２２では、光ディスクが交換できる位置にきていない載置部（図３では載置部２２１ａ、２２１ｂ、２２１ｅ）を検出し、記憶するようにしてもよい。
【００２４】
ステップＳ２２からステップＳ２３へ進んで、左移動ボタン又は右移動ボタンが押下されたか否かを判別する。ステップＳ２３において左移動ボタン又は右移動ボタンが押下された場合は、ステップＳ２４へ進んでロータリートレイ２２０を回転させる。その後、ステップＳ２２に戻り、光ディスクが交換できる位置にある載置部を検出し、追加で記憶する。ここで追加記憶された載置部の光ディスクは交換された可能性があるといえる。
【００２５】
一方、ステップＳ２３において左移動ボタン又は右移動ボタンが押下されなかった場合は、ステップＳ２５へ進んでオープン／クローズボタンが押下されたか否かを判別する。ステップＳ２５においてオープン／クローズボタンが押下された場合、ステップＳ２６へ進んでロータリートレイ２２０を収納する。一方、ステップＳ２５においてオープン／クローズボタンが押下されなかった場合は、ステップＳ２３に戻る。
【００２６】
以上の光ディスク交換処理により、どの載置部２２１ａ〜２２１ｅの光ディスクが交換された可能性があるかが判別できる。図５の光ディスク交換処理が終了した後、ユーザが光ディスクの再生を所望する場合に以下の再生処理が実行される。
【００２７】
図６は、再生処理における光ディスク装置の動作を示すフローチャートである。まず、ステップＳ３０において操作部１１０の再生ボタンが押下されたか否かを判別する。ステップＳ３０において再生ボタンが押下された場合、ステップＳ３１へ進んで再生する光ディスクが載置されている載置部に対応するレジューム情報が記憶されているかを判別する。
【００２８】
ステップＳ３１において、対応するレジューム情報がない場合は、ステップＳ３２へ進んで光ディスクを最初の部分から再生する。一方、ステップＳ３１において、対応するレジューム情報がある場合は、ステップＳ３３へ進んで再生する光ディスクが載置されている載置部は、ロータリートレイ２２０の排出状態で光ディスクが交換できる位置にあったか否かを判別する。この判別は、図５のステップＳ２２で記憶した情報を用いれば判別できる。
【００２９】
ステップＳ３３において、光ディスクが交換できない位置にあった載置部であった場合は、この光ディスクは交換されていないと判断し、ステップＳ３４へ進んで記憶されているレジューム情報を読み出し、レジューム再生を開始する。
【００３０】
一方、ステップＳ３３において、光ディスクが交換できる位置にあった載置部であった場合は、この光ディスクは交換されたものである可能性があるので、ステップＳ３５へ進んでこの載置部に対応するレジューム情報を消去した後、ステップＳ３２へ進んで光ディスクを最初の部分から再生する。
【００３１】
このように、光ディスクが交換されていないと判別した場合はステップＳ３３からステップＳ３４に進むので、レジューム再生を開始するまでに掛かる時間が短くなり、使い勝手が向上する。
【００３２】
また、上記の実施形態において、ロータリートレイ２２０が排出された状態のときに、光ディスクが交換できる位置にきた載置部に載置された光ディスクを再生する場合であっても、光ディスクが交換できる位置にあった状態が所定時間よりも短い場合は、その載置部に対応するレジューム情報が記憶されていれば、この載置部に載置されている光ディスクは交換されていないと判断してレジューム再生するようにしてもよい。
【００３３】
これは、ロータリートレイ２２０を排出した直後に収納した場合や、ロータリートレイ２２０を排出した状態で連続して回転させた場合など、光ディスクが交換できる位置にあった状態が短いためにその載置部の光ディスクは交換されなかったとみなすものである。
【００３４】
具体的には、ロータリートレイ２２０の排出状態において、光ディスクが交換できる位置にある状態の時間を測定する計時部を設け、所定時間以上光ディスクが交換できる位置にあった載置部だけを図６のステップＳ３３で光ディスクが交換された可能性があると判断すればよい。これにより、図６のステップＳ３３で光ディスクが交換されていないと判別できる確率が高くなり、レジューム再生できる確率が高くなる。
【産業上の利用可能性】
【００３５】
本発明の光ディスク装置は、光ディスクが載置される載置部を複数有するロータリートレイを備えており、ＣＤやＤＶＤなどの光ディスクを再生する装置に利用することができる。
【図面の簡単な説明】
【００３６】
【図１】本発明の光ディスク装置の外観を示す斜視図である。
【図２】本発明のディスクチェンジャーの主要構成を示す分解斜視図である。
【図３】本発明のロータリートレイを排出した状態の光ディスク装置の平面図である。
【図４】本発明のレジューム情報取得処理における光ディスク装置の動作を示すフローチャートである。
【図５】本発明の光ディスク交換処理における光ディスク装置の動作を示すフローチャートである。
【図６】本発明の再生処理における光ディスク装置の動作を示すフローチャートである。
【符号の説明】
【００３７】
２２０    ロータリートレイ
２２１、２２１ａ〜２２１ｅ    載置部
【図１】
2008090953.tif 000003
【図２】
2008090953.tif 000004
【図３】
2008090953.tif 000005
【図４】
2008090953.tif 000006
【図５】
2008090953.tif 000007
【図６】
2008090953.tif 000008